(57)【特許請求の範囲】
【請求項１】
第１のスイッチング用トランジスタ、第２のスイッチング用トランジスタ、第３のスイッチング用トランジスタ、駆動用トランジスタ、容量素子および発光素子を有し、
前記第１のスイッチング用トランジスタのゲート電極は第１の走査線に接続され、ソース電極及びドレイン電極の一方は信号線に接続され、前記ソース電極及び前記ドレイン電極の他方は前記第２のスイッチング用トランジスタのソース電極及びドレイン電極の一方に接続されるとともに前記駆動用トランジスタのゲート電極に接続され、
前記第２のスイッチング用トランジスタのゲート電極は第２の走査線に接続され、前記ソース電極及び前記ドレイン電極の他方は電源線に接続され、
前記駆動用トランジスタのソース電極及びドレイン電極の一方は前記電源線に接続され、前記ソース電極及び前記ドレイン電極の他方は前記第３のスイッチング用トランジスタのソース電極及びドレイン電極の一方と接続され、
前記第３のスイッチング用トランジスタのゲート電極には、前記第２の走査線に接続された走査線駆動回路を制御するクロック信号が制御信号として入力され、前記ソース電極及び前記ドレイン電極の他方は、前記発光素子の一方の電極に接続され、
前記容量素子は、一端が前記電源線と接続され、他端は前記第１のスイッチング用トランジスタの前記ソース電極及び前記ドレイン電極の他方に接続されるとともに前記駆動用トランジスタの前記ゲート電極に接続され、
前記第１の走査線から入力信号を前記第１のスイッチング用トランジスタの前記ゲート電極に入力することによって、サステイン期間が開始され、
前記信号線から入力されたビデオ信号が前記駆動用トランジスタのゲート電極に入力され、
前記駆動用トランジスタのゲート電極に入力された前記ビデオ信号に応じて、前記電源線から流れる電流が前記駆動用トランジスタによって前記発光素子に供給されて前記発光素子が点灯され、
サステイン期間中に前記制御信号を前記第３のスイッチング用トランジスタの前記ゲート電極に入力することによって前記発光素子を繰り返し点滅させ、
前記第２の走査線から入力信号を前記第２のスイッチング用トランジスタの前記ゲート電極に入力することによってサステイン期間が終了し、前記発光素子を消灯させることを特徴とする発光装置の駆動方法。
【発明の詳細な説明】
【技術分野】
【０００１】
本発明は発光装置の駆動方法に関する。
【背景技術】
【０００２】
近年、フラットパネルディスプレイにおいて、画素部に液晶素子に代わり、エレクトロルミネッセンス（ＥＬ）素子等を代表とする発光素子を用いた発光装置の開発が進められている。発光装置はバックライトなどの光源が不要であるため、低消費電力、小型、軽量という利点のほか、応答速度が速く動画表示に優れ、視野特性が広いなどの特徴も有しており、フルカラー動画コンテンツが利用できる次世代小型モバイル用フラットパネルディスプレイとして注目されている。
【０００３】
ところで、各画素が有する発光素子は、時間の経過に伴う劣化を生じる。発光素子の経時劣化への対策として、たとえば、発光素子の信頼性を向上させるために、画素の発光時間を制御するという趣旨の技術報告がある（例えば特許文献１参照）。より詳しくは、アナログビデオ信号を用いて「黒」を表示させる、あるいは、発光素子に接続された２つの電極を同電位にすることにより発光素子を非発光状態にするという手段を用いる。
【特許文献１】特開２０００−３４７６２２号公報
【発明の開示】
【発明が解決しようとする課題】
【０００４】
しかし、前述の方法によると、発光素子の発光期間をさほど短くすることはできない。また、発光素子へ電流を供給する電源電圧を変動させるため、外部回路への負担が大きい。さらに、１水平走査期間における発光時間の割合（デューティー比）を小さくすると見かけの輝度も低くなってしまうといった課題がある。
【０００５】
本発明は上述の課題を鑑みてなされたものであり、新規の構成を用いて発光素子の長寿命化の実現を目的とする。
【課題を解決するための手段】
【０００６】
上記した課題を解決するために本発明は、単位フレーム期間内に画素が非発光である期間を設けた発光装置の駆動方法を提供する。特に、制御信号に同期して、発光素子を強制的に繰り返し点滅させる、すなわち点灯、非点灯を交互に繰り返し行うことを特徴とする。
【０００７】
本発明は、電流が流れることによって発光する発光手段と、ビデオ信号に応じた電流を前記発光手段に供給する駆動手段と、単位フレーム期間内にｎ個のサステイン期間（ｎは１以上の自然数）を設定する第１設定手段と、前記発光手段の非点灯状態期間を設定する第２設定手段と、外部から入力された制御信号に同期し、前記発光手段を点滅させるための第３設定手段とを有する画素が複数設けられた発光装置の駆動方法であって、前記ｎ個のサステイン期間において、前記ビデオ信号に応じた電流が前記発光手段に供給され、外部から入力された制御信号に同期する前記第３設定手段により、前記発光手段を点滅させることを特徴とする。
【０００８】
なお、ここで点滅とは点灯、非点灯を交互に繰り返すことであることはいうまでもない。
【０００９】
上記発光手段とは、発光素子に相当し、詳しくは有機材料、無機材料、薄膜材料、バルク材料および分散材料などの広範にわたる材料により構成された発光素子に相当する。発光素子は、陽極および陰極、ならびに前記陽極と前記陰極との間に発光層が挟まれた構造を有し、前記発光層は上記材料から選択された１つまたは複数の材料により構成される。
【００１０】
上記駆動手段とは、前記発光手段に接続された素子に相当し、詳しくは前記発光手段に接続されたトランジスタに相当する。
【００１１】
上記第１設定手段および上記第２設定手段とは、画素に配置された素子に相当し、詳しくは画素への信号入力を制御する機能を有する素子に相当する。さらに、画素の周囲に配置された走査線回路および信号線駆動回路等に相当する。
【００１２】
上記第３設定手段とは、前記発光手段と前記駆動手段との間に配置されたスイッチ、ならびに前記スイッチを制御するコントロール回路等に相当する。
【００１３】
なお、上記第１設定手段および上記第２設定手段、ならびに上記第３設定手段は、それぞれ独立した手段を用いてもよいし、複数の機能を兼ね合わせた手段を用いてもよい。
【００１４】
また、制御信号として、走査線駆動回路を制御するクロック信号を用いても良い。
【００１５】
その他、上記課題を解決するための手段として、本願発明は第１の走査線からの入力信号によって、サステイン期間が開始されて発光素子が点灯され、サステイン期間中に外部からの制御信号によって発光素子を繰り返し点滅させ、第２の走査線からの入力信号によってサステイン期間が終了し、発光素子を消灯させることを特徴とする。
【００１６】
また、第１の走査線から入力信号を第１のＴＦＴに入力することによって、サステイン期間が開始され、ビデオ信号に応じた電流が駆動用ＴＦＴによって発光素子に供給されて前記発光素子が点灯され、サステイン期間中に外部からの制御信号を第２のＴＦＴに入力することによって発光素子を繰り返し点滅させ、第２の走査線から入力信号を前記第２のＴＦＴに入力することによってサステイン期間が終了し、発光素子を消灯させることを特徴とする。
【００１７】
また第１の走査線から入力信号を第１のＴＦＴに入力することによって、サステイン期間が開始され、ビデオ信号に応じた電流が駆動用ＴＦＴによって発光素子に供給されて前記発光素子が点灯され、サステイン期間中に外部からの制御信号を第３のＴＦＴに入力することによって発光素子を繰り返し点滅させ、第２の走査線から入力信号を前記第２のＴＦＴに入力することによってサステイン期間が終了し、発光素子を消灯させることを特徴とする。
【発明の効果】
【００１８】
本発明の発光装置の駆動方法は、発光素子を交互に繰り返し点灯、非点灯させて発光素子の発光期間を短くすることにより発光素子の経時的な劣化を抑制し、発光素子の信頼性を向上させることができる。さらに、瞬間の発光期間が充分に短いことから、見かけの輝度を落とさずにデューティ比を小さくすることができる。
【発明を実施するための最良の形態】
【００１９】
本発明の実施形態について、以下に説明する。
【００２０】
（実施の形態１）
本実施の形態では、本発明が適用される発光装置の構成の一例について図１を用いて説明する。次いで、本発明の発光装置の駆動方法について図２、図３を用いて説明する。
【００２１】
図１（Ａ）に発光装置の概略図を示す。発光装置は、画素部００２と該画素部００２の周辺に配置された信号線駆動回路００３、第１走査線駆動回路００４、第２走査線駆動回路００５を有する。
【００２２】
画素部００２は、列方向に配置されたｘ本の信号線Ｓ１〜Ｓｘおよびｘ本の電源線Ｖ１〜Ｖｘ、および行方向に配置されたｙ本の第１走査線ＧＡ１〜ＧＡｙおよびｙ本の第２走査線ＧＢ１〜ＧＢｙを有する（ｘ、ｙは自然数）。そして、信号線Ｓ１〜Ｓｘおよび電源線Ｖ１〜Ｖｘ、ならびに第１走査線ＧＡ１〜ＧＡｙおよび第２走査線ＧＢ１〜ＧＢｙの各一本の配線に囲まれた領域が画素００１に相当する。画素部には、マトリクス状に複数の画素が配置されている。
【００２３】
信号線駆動回路００３、第１走査線駆動回路００４および第２走査線駆動回路００５等は、同一基板状に一体形成しても良い。さらに、信号線駆動回路００３、第１走査線駆動回路００４および第２走査線駆動回路００５の数は、画素００１の構成に応じて、任意に設定することができる。なお信号線駆動回路００３、第１走査線駆動回路００４および第２走査線駆動回路００５には、特に図示しないが、フレキシブルプリント基板（ＦＰＣ）等を介して外部より信号が供給される。
【００２４】
画素部００２のｉ列ｊ行目に配置された画素００１の詳しい構成を図１（Ｂ）を用いて説明する。画素００１は、第１スイッチング用トランジスタ１０３、第２スイッチング用トランジスタ１０５、駆動用トランジスタ１０２、容量素子１０４、および発光素子１０１を有する。
【００２５】
第１スイッチング用トランジスタ１０３のゲート電極は第１走査線ＧＡｊに接続され、第１の電極は信号線Ｓｉに接続され、第２の電極は駆動用トランジスタ１０２のゲート電極に接続されている。
【００２６】
駆動用トランジスタ１０２の第１電極は電源線Ｖｉに接続され、第２の電極は第２スイッチング用トランジスタ１０５と直列に接続されている。第２スイッチング用トランジスタ１０５のゲート電極は第２走査線ＧＢｊに接続され、他端は発光素子１０１の一方の電極に接続されている。
【００２７】
容量素子１０４は、一端が電源線Ｖｉと接続され、他端は第１スイッチング用トランジスタ１０３を介して信号線Ｓｉと接続されると同時に駆動用トランジスタ１０２のゲート電極との間に接続されている。このため、信号線Ｓｉから入力された信号電圧は容量素子１０４に充電され、信号線Ｓｉへの電圧印加が停止した後も駆動用トランジスタ１０２のゲート・ソース電圧を保持する。
【００２８】
第１走査線ＧＡの一端は第１走査線駆動回路００４に接続され、第２走査線ＧＢの一端は第２走査線駆動回路００５に接続され、それぞれ所定の走査電圧を印加される。
【００２９】
第１スイッチング用トランジスタ１０３および第２スイッチング用トランジスタ１０５は、画素００１への入力信号を制御する機能を有する。よって、第１スイッチング用トランジスタ１０３および第２スイッチング用トランジスタ１０５はスイッチとしての機能を有していれば良いので、その導電性は特に限定されない。
【００３０】
画素００１には、容量素子１０４が配置されているが、本発明はこれに限定されない。容量素子１０４を配置せず、駆動用トランジスタ１０２のゲート容量やチャネル容量を用いてもよい。また、配線等により生じる寄生容量を用いてもよい。
【００３１】
図２において、横軸は時間を示し、縦軸は走査線を示す。各画素に対し、あるビデオ信号を入力してから、次のビデオ信号が入力されるまでの期間を単位フレーム期間（Ｆ）とする。
【００３２】
図２（Ａ）に示すように、単位フレーム期間は、画素にビデオ信号の入力をおこなうアドレス期間と、前記ビデオ信号に応じて画素が発光するサステイン期間（Ｔｓ）とに分割される。前記アドレス期間は、第１アドレス期間（Ｔａ）と、第２アドレス期間（Ｔｂ）との２種類ある。前者は第１走査線ＧＡ１〜ＧＡｙが選択される期間であり、後者は第２走査線ＧＢ１〜ＧＢｙが選択される期間である。また図２（Ｂ）は、ある走査線におけるタイミングチャートを示す。
【００３３】
なお本発明では、ビデオ信号が駆動用トランジスタ１０２のゲート電極に印加されることを、画素００１にビデオ信号が入力されるとよぶ。
【００３４】
まず、第１フレーム（Ｆ１）の、第１アドレス期間（Ｔａ）において、第１走査線駆動回路００４から第１走査線ＧＡ１に入力される信号によって、第１走査線ＧＡ１が選択され、第１走査線ＧＡ１に接続している全ての画素００１の第１スイッチング用トランジスタ１０３が導通状態となる。続いて、信号線駆動回路００３から信号線Ｓ１〜Ｓｘを介して１行目の画素に線順次走査がおこなわれ、１行目の画素００１からｘ行目（最終行）の画素００１に順にビデオ信号が入力され、該ビデオ信号に応じて画素００１が発光する。より詳しくは、画素００１の第１スイッチング用トランジスタ１０３を介して、ビデオ信号が駆動用トランジスタ１０２のゲート電極に入力される。入力されたビデオ信号の電位に応じて、駆動用トランジスタ１０２のゲート・ソース電圧が決定し、駆動用トランジスタ１０２のソース・ドレイン間を流れる電流量が決まる。該電流量が発光素子１０１に供給され、該発光素子１０１は発光する。
【００３５】
このようにして、１行目の全ての画素００１にビデオ信号が入力されると同時に発光素子１０１は発光して、１行目の全ての画素００１ではサステイン期間（Ｔｓ）が開始される。
【００３６】
サステイン期間（Ｔｓ）中、第２スイッチング用トランジスタ１０５のゲート電極へ外部から制御信号、例えば矩形の信号、走査線駆動回路を制御するクロック信号などを入力し、該制御信号に同期した電流が発光素子１０１へ流れるように制御する。こうすることで、該発光素子１０１をサステイン期間（Ｔｓ）中、点滅させることができる。この制御信号は、第２走査線ＧＢ１から入力しても良いし、別個に信号線を設けて制御信号を入力することもできる。
【００３７】
次に、第２アドレス期間（Ｔｂ）において、第２走査線駆動回路００５から第２走査線ＧＢ１へ入力される信号によって、第２走査線ＧＢ１が選択され、第２走査線ＧＢ１に接続している全ての画素００１の第２スイッチング用トランジスタ１０５が非導通状態となる。このとき、駆動用トランジスタ１０２のゲート電圧とソース電圧は同電位となるので、発光素子１０１に電流が供給されなくなり、該発光素子１０１は消灯する。
【００３８】
図３にサステイン期間（Ｔｓ）における第１走査線ＧＡｍ、第２走査線ＧＢｍの電圧を示し、動作をより詳しく説明する。
【００３９】
図３（Ａ）および（Ｂ）において、横軸は時間を示し、縦軸は電圧を示す。図３（Ａ）にはｍ行目の第１走査線ＧＡｍ、図３（Ｂ）にはｍ行目の第２走査線ＧＢｍの電圧と時間との関係をそれぞれ示す（ｍは自然数；１≦ｍ≦ｙ）。
【００４０】
図３（Ａ）および（Ｂ）において、２０１で示す期間は単位フレーム期間に相当する。２０２で示す期間は第１アドレス期間（Ｔａ）に属し、２０４で示す期間は第２アドレス期間（Ｔｂ）に属し、両者はそれぞれ１水平走査期間に相当する。２０３で示す期間はサステイン期間（Ｔｓ）に相当する。
【００４１】
図３（Ｃ）は外部より入力される制御信号を示す。
【００４２】
また、図３（Ｄ）および（Ｅ）において、横軸は時間を示し、縦軸は電流密度を示す。図３（Ｄ）は、のｉ行ｊ列目の画素に流れる電流密度と時間との関係を示す。図３（Ｅ）は、従来の方式でのｉ行ｊ列目の画素に流れる電流密度と時間との関係を示す。
【００４３】
従来の方式では図３（Ｅ）に示すように２０７で示す点灯期間（Ｔｅ）中ずっと発光素子１０１に電圧が印加されていた。これに対し本実施形態を採用した場合は、図３（Ｄ）に示すように２０５で示す点灯期間と、２０６で示す非点灯期間が２０３で示すサステイン期間（Ｔｓ）内に交互に存在する。こうすることで見かけの輝度を落とさずにデューティ比を小さくすることができ、さらに発光素子１０１の瞬間発光期間は短縮されるので発光素子１０１を長寿命化させることができる。
【実施例】
【００４４】
［実施例１］
本発明の実施の形態に係る信号線駆動回路００３、ならびに第１走査線駆動回路００４および第２走査線駆動回路００５の構成とその動作について、図４（Ａ）〜（Ｃ）を用いて説明する。
【００４５】
図４（Ｃ）において信号線駆動回路００３は、シフトレジスタ０１１、バッファ０１２およびサンプリング回路０１３を有する。動作を簡単に説明すると、シフトレジスタ０１１は、クロック信号（Ｓ−ＣＬＫ）、スタートパルス（Ｓ−ＳＰ）およびクロック反転信号（Ｓ−ＣＬＫｂ）にしたがって、順次サンプリングパルスを出力する。その後、バッファ０１２で増幅されたサンプリングパルスは、サンプリング回路０１３に入力される。サンプリング回路０１３にはビデオ信号が入力されており、サンプリングパルスが入力されるタイミングにしたがって、信号線Ｓ１〜Ｓｘにビデオ信号が入力される。
【００４６】
図４（Ｂ）において第１走査線駆動回路００４は、シフトレジスタ０１４、バッファ０１５を有する。動作を簡単に説明すると、シフトレジスタ０１４は、クロック信号（ＧＡ−ＣＬＫ）、スタートパルス（ＧＡ−ＳＰ）およびクロック反転信号（ＧＡ−ＣＬＫｂ）にしたがって、順次サンプリングパルスを出力する。その後、バッファ０１５で増幅されたサンプリングパルスは、第１走査線ＧＡ１〜ＧＡｙに入力されて１行ずつ選択状態にしていく。そして選択された第１走査線ＧＡｎによって制御される画素は、順に信号線Ｓ１〜Ｓｘからビデオ信号が書き込まれ、発光素子１０１が発光状態になり、サステイン期間が開始される。
【００４７】
図４（Ａ）において第２走査線駆動回路００５は、シフトレジスタ００９、バッファ０１０、スイッチング回路００６を有する。動作を簡単に説明すると、シフトレジスタ００９は、クロック信号（ＧＢ−ＣＬＫ）、スタートパルス（ＧＢ−ＳＰ）およびクロック反転信号（ＧＢ−ＣＬＫｂ）にしたがって、順次サンプリングパルスを出力する。その後、バッファ０１０で増幅されたサンプリングパルスは、スイッチング回路００６に入力される。該スイッチング回路００６には同時に外部からの制御信号００８が入力される。該スイッチング回路００６からの出力によって、第２走査線ＧＢ１〜ＧＢｙを１行ずつ選択状態にしていく。そして選択された第２走査線ＧＢｎによって制御される画素は、順に非点灯状態となる。ここで、サステイン期間において、外部制御信号が入力されると、発光素子１０１は点灯、非点灯を交互に繰り返す。そしてサンプリングパルスが入力されると、消灯状態となるのである。
【００４８】
本実施例ではスイッチング回路００６にＮＡＮＤ回路を用いたが、多入力端子を持ち、入力信号によっていずれかを選択する様な回路であれば良い。また、制御信号００８は外部から入力するとしているが、走査電圧を印加するための回路００７のクロック信号（ＧＢ−ＣＬＫ）などに同期させても良いし、該クロック信号を分岐してそのまま入力しても良い。デューティー比を小さくしても見かけの輝度は変化しないようにするためには、単位フレーム期間内のｎ個のサスティン期間のうち、点灯期間が最も短いものより短い周期で発光素子１０１を点滅させる必要がある。点滅させる周期が短いほど人間の目には認識されにくくなるが、同時に外部回路への負担も大きくなってしまう。よって、制御信号００８への入力周波数は、走査電圧を印加するための回路００７のクロック信号と同じ又は同程度が好ましい。
【００４９】
［実施例２］
図５に図１（Ｂ）とは異なる画素構成を用いた場合の実施例を示す。
【００５０】
図５（Ｂ）において画素１１１は、第１スイッチング用トランジスタ１０３、第２スイッチング用トランジスタ１１３、第３スイッチング用トランジスタ１１４、駆動用トランジスタ１０２、容量素子１０４、および発光素子１０１を有する。
【００５１】
第１スイッチング用トランジスタ１０３のゲート電極は第１走査線ＧＡｊに接続され、第１の電極は信号線Ｓｉに接続され、第２の電極は第２スイッチング用トランジスタ１１３の第１の電極と駆動用トランジスタ１０２のゲート電極に接続されている。
【００５２】
第２スイッチング用トランジスタ１１３のゲート電極は第２走査線ＧＢｊに接続され、第１の電極は第１スイッチング用トランジスタ１０３の第２電極と駆動用トランジスタ１０２のゲート電極に接続され、第２の電極は電源線Ｖｉに接続されている。
【００５３】
駆動用トランジスタ１０２のゲート電極は第１スイッチング用トランジスタ１０３の第２の電極と第２スイッチング用トランジスタ１１３の第１の電極に接続され、第１電極は電源線Ｖｉに接続され、第２の電極は第３スイッチング用トランジスタ１１４の第１の電極と直列に接続されている。第３スイッチング用トランジスタ１１４のゲート電極には制御信号０１６が入力され、第３スイッチング用トランジスタ１１４の第１の電極は駆動用トランジスタ１０２の第２の電極と接続され、第２の電極は発光素子１０１の一方の電極に接続されている。
【００５４】
容量素子１０４は、一端が電源線Ｖｉと接続され、他端は第１スイッチング用トランジスタ１０３および第２スイッチング用トランジスタ１１３を介して信号線Ｓｉ及びＶｉと接続されると同時に駆動用トランジスタ１０２のゲート電極との間に接続されている。このため、信号線Ｓｉから入力された信号電圧は容量素子１０４に充電され、信号線Ｓｉへの電圧印加が停止した後も駆動用トランジスタ１０２のゲート・ソース電圧を保持する。
【００５５】
第２走査線駆動回路１１５の構成を図５（Ｃ）に示す。動作は実施例１とほぼ同様である。
【００５６】
図５（Ａ）において信号線駆動回路００３は、シフトレジスタ、バッファおよびサンプリング回路を有する。シフトレジスタは、クロック信号（Ｓ−ＣＬＫ）、スタートパルス（Ｓ−ＳＰ）およびクロック反転信号（Ｓ−ＣＬＫｂ）にしたがって、順次サンプリングパルスを出力する。その後、バッファで増幅されたサンプリングパルスは、サンプリング回路に入力される。サンプリング回路にはビデオ信号が入力されており、サンプリングパルスが入力されるタイミングにしたがって、信号線Ｓ１〜Ｓｘにビデオ信号が入力される。
【００５７】
図５（Ａ）において第１走査線駆動回路００４は、シフトレジスタ、バッファを有する。シフトレジスタは、クロック信号（ＧＡ−ＣＬＫ）、スタートパルス（ＧＡ−ＳＰ）およびクロック反転信号（ＧＡ−ＣＬＫｂ）にしたがって、順次サンプリングパルスを出力する。その後、バッファで増幅されたサンプリングパルスは、第１走査線ＧＡ１〜ＧＡｙに入力されて１行ずつ選択状態にしていく。そして選択された第１走査線ＧＡｎによって制御される画素は、順に信号線Ｓ１〜Ｓｘからビデオ信号が書き込まれ、発光素子１０１が発光状態になり、サステイン期間が開始される。
【００５８】
図５（Ｃ）において第２走査線駆動回路１１５は、シフトレジスタ００９、バッファ０１０を有する。シフトレジスタ００９は、クロック信号（ＧＢ−ＣＬＫ）、スタートパルス（ＧＢ−ＳＰ）およびクロック反転信号（ＧＢ−ＣＬＫｂ）にしたがって、順次サンプリングパルスを出力する。その後、バッファ０１０で増幅されたサンプリングパルスは、第２走査線ＧＢ１〜ＧＢｙに入力されて１行ずつ選択状態にしていく。そして選択された第２走査線ＧＢｎによって第２のスイッチングＴＦＴ１１３が制御され、発光素子１０１を消灯状態にする。
【００５９】
第３のスイッチングＴＦＴ１１４のゲート電極には制御信号０１６が入力される。第３のスイッチングＴＦＴ１１４のスイッチング動作によって点灯状態と非点灯状態が交互に繰り返されることになる。このとき、第１走査線ＧＡｊが選択されれば発光素子１０１は点滅し、第２走査線ＧＢｊが選択されれば発光素子１０１は消灯する。また、制御信号０１６は外部から入力するとしているが、走査電圧を印加するための回路００７のクロック信号（ＧＢ−ＣＬＫ）などに同期させても良いし、該クロック信号を分岐してそのまま入力しても良い。制御信号０１６への入力周波数は、走査電圧を印加するための回路００７のクロック信号と同じ又は同程度が好ましい。
【００６０】
本実施例のように発光素子１０１の点灯、非点灯を制御する第３のスイッチングＴＦＴ１１４と、発光素子１０１の消灯期間を制御するスイッチングＴＦＴ１１３とを設けることによって、発光素子１０１の制御をより正確に行うことができる。また実施例１では、スイッチング回路００６が故障した場合には、故障したスイッチング回路００６と接続されている第２走査線ＧＢｊに接続されている発光素子１０１を制御することができず、線欠陥あるいは輝線の原因となってしまう。しかし本実施例ではスイッチング回路００６を設けず、点灯、非点灯を制御する第３のスイッチングＴＦＴ１１４と、発光素子１０１の消灯期間を制御するスイッチングＴＦＴ１１３とを設けて発光素子１０１を制御するので、実施例１のような問題は発生しない。
【００６１】
［実施例３］
本発明の発光装置の駆動方法が適用される電子機器として、ビデオカメラ、デジタルカメラ、ゴーグル型ディスプレイ（ヘッドマウントディスプレイ）、ナビゲーションシステム、音響再生装置（オーディオコンポ、カーオーディオ等）、ノート型パーソナルコンピュータ、ゲーム機器、携帯情報端末（モバイルコンピュータ、携帯電話機、電子辞書等）、Ｄｉｇｉｔａｌ  Ｖｅｒｓａｔｉｌｅ  Ｄｉｓｃ（ＤＶＤ）等の記録媒体を再生しその画像を表示しうるディスプレイを備えた装置などが挙げられる。それらの電子機器の具体例を図６（Ａ）〜（Ｃ）に示す。
【００６２】
図６（Ａ）は発光装置であり、表示部６０１、筐体６０２、支持台６０３、スピーカー部６０４、ビデオ入力端子６０５等を含む。本発明は表示部６０１に適用することができる。本発明により、図６（Ａ）に示す発光装置が完成される。発光装置は自発光であるためバックライトが必要ない。よって、バックライトがない分だけ表示部を薄型にすることができる。なお前記発光装置には、パーソナルコンピュータ用、ＴＶ放送受信用、広告表示用など、全ての情報用表示装置が含まれる。
【００６３】
図６（Ｂ）は記録媒体を備えた携帯型の画像表示装置であり、本体６１１、表示部Ａ６１２、表示部Ｂ６１３、筐体６１４、記録媒体読み込み部６１５、操作キー６１６、スピーカー部６１７を含む。表示部Ａ６１２は主として画像情報を表示し、表示部Ｂ６１３は主として文字情報を表示するが、本発明は表示部Ａ６１２、表示部Ｂ６１３両方に適用することができる。表示部Ｂ６１３は黒色の背景に白色の文字を表示することで消費電流を抑えることができる。なお、記録媒体を備えた携帯型の画像表示装置には家庭用ゲーム機器なども含まれる。本発明により図６（Ｂ）に示す画像表示装置が完成される。
【００６４】
図６（Ｃ）は携帯電話機であり、本体６２１、表示部６２２、筐体６２３、音声入力部６２４、音声出力部６２５、操作キー６２６、外部接続ポート６２７、アンテナ６２８等を含む。本発明は表示部６２２に適用することができる。本発明により、図６（Ｃ）に示す携帯電話機が完成される。
【００６５】
上記電子機器は、インターネットやＣＡＴＶ（ケーブルテレビ）などの電子通信回線を通じて配信された情報を表示することが多くなり、特に動画情報を表示する機会が増してきている。発光材料の応答速度は非常に速いため、本発明による発光装置は動画表示に好ましい。
【産業上の利用可能性】
【００６６】
本発明の適用範囲は極めて広く、ユビキタス社会構築に向けて、あらゆる分野の電子機器に表示部が取り付けられることは容易に予想されるため、あらゆる分野の電子機器に用いることが可能である。
【図面の簡単な説明】
【００６７】
【図１】本発明の発光装置を説明する図である。
【図２】本発明の発光装置の駆動方法を説明する図である。
【図３】本発明の発光装置の駆動方法を説明する図である。
【図４】実施例１を説明する図である。
【図５】実施例２を説明する図である。
【図６】本発明の発光装置の駆動方法が適用される電子機器の図である。
【図１】
0005137294.tif 000002
【図２】
0005137294.tif 000003
【図３】
0005137294.tif 000004
【図４】
0005137294.tif 000005
【図５】
0005137294.tif 000006
【図６】
0005137294.tif 000007